(57)【要約】【課題】子供や人の成長に合わせて創造力を養いながら発展的に子供から大人まで自由に楽しく遊びつつ使用でき、実用性も兼ね備えた任意の構造物を自ら手掛けて組み立てることができる組立構造体を提供する。【解決手段】孔付き基本板ブロック１２〜１４、直交取付用ブロック２１、連結ピン２３、ロッド２５、タイヤ３１、サドル３３、ペダル３５などを用いて子供の成長に合わせて創造力を養いながら発展的に子供から大人まで楽しく遊びつつ自由に組み立て、実用性も兼ね備えた二輪車などのような任意の構造物を組み立てることができる。【選択図】　　　図１
2004065401.tif 000002
【特許請求の範囲】
【請求項１】
複数の構成要素により任意の構造物を組み立て得る組立構造体であって、
前記構成要素は、少なくとも、
複数の孔が所定の間隔で形成され、孔の数に応じた長さを有する孔付き基本要素と、
第１の方向にあけられた第１の孔と第２の方向にあけられた第２の孔とが形成され、第１の孔を貫通して取り付けられる構成要素に対して第２の孔を貫通して取り付けられる構成要素の取り付け角度を変更する角度変更要素と、
前記各構成要素を連結する板状または棒状の連結要素と、
前記構成要素に連結され、当該構成要素に任意の機能を付与せしめる機能要素と
のいずれかを有することを特徴とする組立構造体。
【請求項２】
前記連結要素は、
複数の前記孔付き基本要素の孔同士を貫通して該孔付き基本要素を離隔または隣接して連結し、または前記孔付き基本要素の孔と前記角度変更要素の孔とを貫通して両者を離隔または隣接して連結し、または複数の角度変更要素の孔同士を貫通して該複数の角度変更要素を離隔または隣接して連結する所定の長さを有する棒状のロッドと、
前記孔付き基本要素同士の組合せおよび孔付き基本要素と角度変更要素の組合せで合わせられた孔に挿入されて両者を連結するための連結ピン
のいずれかを含むものであることを特徴とする請求項１記載の組立構造体。
【請求項３】
前記構成要素は、各構成要素を自在に組み合わせて構成される車両、家具を含む種々の構造物において使用上十分に耐え得る強度および材質で形成されていることを特徴とする請求項１または２のいずれかに記載の組立構造体。
【請求項４】
前記構成要素は、弾性部材により形成されていることを特徴とする請求項１乃至３のいずれか１項に記載の組立構造体。
【請求項５】
前記構成要素は、材質の最適化、形状の最適化、薄肉化により軽量化が図られていることを特徴とする請求項１乃至４のいずれか１項に記載の組立構造体。
【請求項６】
前記構成要素は、全体として湾曲して形成されていることを特徴とする請求項１乃至５のいずれか１項に記載の組立構造体。
【請求項７】
前記孔付き基本要素は、肉厚の矩形の棒状に形成され、この肉厚矩形棒状に形成される孔付き基本要素に形成されている孔は、孔の深さ方向に鋸歯の溝が延出した複数の鋸歯状に内周面が形成されており、
前記ロッドは、前記肉厚矩形棒状の孔付き基本要素の内周面が鋸歯状の孔に嵌合するように外周面が鋸歯状に形成され、この鋸歯状の外周面を有するロッドを前記肉厚矩形棒状の孔付き基本要素の鋸歯状の内周面を有する孔に嵌合して複数の肉厚矩形棒状の孔付き基本要素を連結した場合、この複数の肉厚矩形棒状の孔付き基本要素を固定するためのねじ孔が当該ロッドの両端面に形成され、
前記連結ピンは、前記ロッドの両端面に形成されたねじ孔に螺合し得る固定ねじで形成されていること
を特徴とする請求項１乃至６のいずれか１項に記載の組立構造体。
【請求項８】
前記機能要素は、構成要素に少なくとも回転機能、揺動機能、弾性機能、動力機能、表示機能、制御機能のいずれかの機能を付与せしめるものであることを特徴とする請求項１に記載の組立構造体。
【請求項９】
前記機能要素は、組立可能な車両用の構成要素であるタイヤ、サドル、ペダル、チェーンまたは動力源を車両用付加組立パーツとして有することを特徴とする請求項１に記載の組立構造体。
【発明の詳細な説明】
【０００１】
【発明の属する技術分野】
本発明は、子供や人の成長に合わせて創造力を養いながら発展的に子供から大人まで自由に楽しみ遊びつつ使用でき、実用性も兼ね備えた任意の構造物を組み立てることができる組立構造体に関する。
【０００２】
【従来の技術】
子供や人の成長に合わせて創造力を養いながら発展的に子供から大人まで自由に楽しく遊びつつ使用でき、実用性も兼ね備えた任意の構造物を近年のバーチャルなものとしてでなく、手足を使いながら組み立てることができるような例えば組立玩具、教育玩具や実用玩具のような組立構造物のようなリアルなものの出現が高く要望されている。
【０００３】
また、このような組立構造体を使用する子供や人の成長や熟練とともに組み立てられる構造物も成長していき、完成した構造物は玩具としてだけでなく、実用性も兼ね備えていて、例えば二輪車やテーブル、椅子などとして組み立てられた組立構造物は実生活でも二輪車、テーブル、椅子として実際に使用でき、しかも完成して使用した構造物が人の成長などにより不要となったり、飽きたら元に分解して、更に新規な別の構造物として継続的に使用して組み立てることができ、新たに喜びを得ることができるような奥の深い組立構造体が要望されている。
【０００４】
【発明が解決しようとする課題】
従来、子供の成長に合わせて創造力を養いかつ楽しく遊びながら使用できる組立玩具として、例えばレゴ（登録商標）のようなものが存在する。これは単に玩具としてのみ機能するものであり、実用性という点において物足りなく、子供の成長によって不要になったり、飽きたら単に廃棄するしかないものである。
【０００５】
これに対して、子供や人の成長に合わせて創造力を養いながら発展的に子供から大人まで自由に楽しく遊びつつ使用でき、実用性も兼ね備えた任意の構造物を近年のバーチャルなものとしてでなく、手足を使いながら組み立てることができるような例えば組立玩具、教育玩具や実用玩具のような組立構造体のようなリアルなものの出現が高く要望されているが、現在このようなものは存在しないという問題がある。
【０００６】
本発明は、上記に鑑みてなされたもので、その目的とするところは、子供や人の成長に合わせて創造力を養いながら発展的に子供から大人まで自由に楽しく遊びつつ使用でき、実用性も兼ね備えた任意の構造物を手足を使いながら組み立てることができる組立構造体を提供することにある。
【０００７】
【課題を解決するための手段】
上記目的を達成するため、請求項１記載の本発明は、複数の構成要素により任意の構造物を組み立て得る組立構造体であって、前記構成要素は、少なくとも、複数の孔が所定の間隔で形成され、孔の数に応じた長さを有する孔付き基本要素と、第１の方向にあけられた第１の孔と第２の方向にあけられた第２の孔とが形成され、第１の孔を貫通して取り付けられる構成要素に対して第２の孔を貫通して取り付けられる構成要素の取り付け角度を変更する角度変更要素と、前記各構成要素を連結する板状または棒状の連結要素と、前記構成要素に連結され、当該構成要素に任意の機能を付与せしめる機能要素とのいずれかを有することを要旨とする。
【０００８】
請求項１記載の本発明にあっては、孔付き基本要素と角度変更要素と連結要素と機能要素の各構成要素を適宜組み合わせて、任意の構造物を容易に組み立てることができる。
【０００９】
具体的には、子供の成長に合わせて創造力を養いながら発展的に子供から大人まで自由に使用でき、実用性も兼ね備えた任意の構造物を組み立てることができる組立構造体であって、２つ以上複数の孔が所定の間隔で形成され、孔の数に応じた長さを有する細長い板状の複数の孔付き基本要素と、第１の方向にあけられた第１の孔と該第１の方向に直交する第２の方向にあけられた第２の孔とが隣接して形成され、第１の孔を貫通して取り付けられる部材と第２の孔を貫通して取り付けられる部材とを直交するように取り付ける角度変更要素と、複数の孔付き基本要素の孔同士を貫通して該複数の孔付き基本要素を離隔または隣接して連結したり、または孔付き基本要素の孔と角度変更要素の孔を貫通して両者を離隔または隣接して連結したり、または複数の角度変更要素の孔同士を貫通して該複数の角度変更要素を離隔または隣接して連結するための種々の長さを有する棒状の複数のロッドと、前記複数の孔付き基本要素同士の組合せおよび孔付き基本要素と角度変更要素の組合せで合わせられた孔に挿入されて両者を連結するための連結ピンとのうち少なくとも１種類以上を有することを要旨とする。
【００１０】
すなわち、孔付き基本要素、角度変更要素、ロッド、連結ピンの少なくとも１種類以上を用いて、子供や人の成長に合わせて創造力を養いながら発展的に子供のみならず大人までも自由に楽しく遊びつつ使用でき、実用性も兼ね備えた例えば組立玩具、教育玩具や実用玩具のような任意の構造物を手足を使いながら組み立てることができるとともに、また子供や人の成長や熟練とともに構造物も成長し、完成した構造物は玩具としてだけでなく、実用性も兼ね備えていて、例えば二輪車やテーブル、椅子などとして組み立てられた組立構造物は実生活でも二輪車、テーブル、椅子として実際に使用でき、しかも完成して使用した構造物が人の成長などにより不要となったり、飽きたら元に分解して、更に新規な別の構造物として継続的に使用して組み立てることができ、新たに喜びを得ることができる。
【００１１】
また、請求項２記載の本発明は、請求項１記載の発明において、連結要素は、複数の前記孔付き基本要素の孔同士を貫通して該孔付き基本要素を離隔または隣接して連結し、または孔付き基本要素の孔と角度変更要素の孔を貫通して両者を離隔または隣接して連結したり、または複数の角度変更要素の孔同士を貫通して該複数の角度変更要素を離隔または隣接して連結するための種々の長さを有する棒状の複数のロッドと、前記複数の孔付き基本要素同士の組合せおよび孔付き基本要素と角度変更要素の組合せで合わせられた孔に挿入されて両者を連結するための連結ピンのいずれかを含むものであることを要旨とする。
【００１２】
また、請求項３記載の本発明は、請求項１または２のいずれかに記載の発明において、構成要素は、各構成要素を自在に組み合わせて構成される車両、家具を含む種々の構造物において使用上十分に耐え得る強度および材質で形成されていることを要旨とする。
【００１３】
請求項３記載の本発明にあっては、基本組立要素は使用上十分に耐え得る強度および材質で形成されているため、例えば二輪車やテーブル、椅子などとして組み立てられた組立構造物は実生活でも二輪車、テーブル、椅子として実際に使用でき、十分な実用性も兼ね備えている。
【００１４】
また、請求項４記載の本発明は、請求項１乃至３のいずれか１項に記載の発明において、構成要素は、弾性部材により形成されていることを要旨とする。
【００１５】
請求項４記載の本発明にあっては、構成要素は、弾性部材により形成されていることから、その弾性を利用してクッション性に優れた乗り物を組み立てる事ができる。また、各構成要素の全て、または一部に弾性部材を用いることで、より安全性に優れた組立構造体を組み立てることができる。
【００１６】
また、請求項５記載の本発明は、請求項１乃至４のいずれか１項に記載の発明において、構成要素は、材質の最適化、形状の最適化、薄肉化により軽量化が図られていることを要旨とする。
【００１７】
請求項５記載の本発明にあっては、材質の最適化、形状の最適化、薄肉化により構成要素の軽量化が図られていることから小さな子供でも容易に扱うことができる。
【００１８】
さらに、請求項６記載の本発明は、請求項１乃至５のいずれか１項に記載の発明において、構成要素は、全体として湾曲して形成されていることを要旨とする。
【００１９】
請求項６記載の本発明にあっては、孔付き基本要素が僅かに湾曲して形成されているため、例えば木馬のようなものも容易に組み立てることができ、バラエティに富んだ構造物を組み立てることができる。
【００２０】
請求項７記載の本発明は、請求項１乃至５のいずれか１項に記載の発明において、前記孔付き基本要素が、肉厚の矩形の棒状に形成され、この肉厚矩形棒状に形成される孔付き基本要素に形成されている孔は、孔の深さ方向に鋸歯の溝が延出した複数の鋸歯状に内周面が形成されており、前記ロッドは、前記肉厚矩形棒状の孔付き基本要素の内周面が鋸歯状の孔に嵌合するように外周面が鋸歯状に形成され、この鋸歯状の外周面を有するロッドを前記肉厚矩形棒状の孔付き基本要素の鋸歯状の内周面を有する孔に嵌合して複数の肉厚矩形棒状の孔付き基本要素を連結した場合、この複数の肉厚矩形棒状の孔付き基本要素を固定するためのねじ孔が当該ロッドの両端面には形成されており、前記連結ピンが、前記ロッドの両端面に形成されたねじ孔に螺合し得る固定ねじで形成されていることを要旨とする。
【００２１】
請求項７記載の本発明にあっては、孔付き基本要素、ロッド、連結ピンとしてそれぞれ内周面が鋸歯状の孔のある肉厚矩形棒状の孔付き基本要素、外周面が鋸歯状のロッド、このロッドの両端で固定するための固定ねじを使用することにより、例えばバイクのような骨太の二輪車をも組み立てることができ、更にバラエティに富んだ構造物を組み立てることができる。
【００２２】
また、請求項８記載の本発明は、請求項１記載の発明において、機能要素は、構成要素に少なくとも回転機能、揺動機能、弾性機能、動力機能、表示機能、制御機能のいずれかの機能を付与せしめるものであることを要旨とする。
【００２３】
さらに、請求項９記載の本発明は、請求項１記載の発明において、機能要素は、組立可能な車両用の構成要素であるタイヤ、サドル、ペダル、チェーンまたは動力源を車両用付加組立パーツとして有することを要旨とする。
【００２４】
請求項９記載の本発明にあっては、車両用の構成要素であるタイヤ、サドル、ペダル、チェーンまたは動力源を車両用付加組立パーツとして有することにより、基本組立要素と組み合わせて例えば一輪車、二輪車、三輪車などのような車両も容易に組み立てることができる。
【００２５】
【発明の実施の形態】
以下、図面を用いて本発明の実施の形態を説明する。図１は、本発明の一実施形態に係る組立構造体を使用して組み立てられた二輪車を示す側面図および上面図である。同図に示すように組み立てられる二輪車は、図２〜図３に示すような構成要素としての基本組立ブロックと図４に示すような車両用付加組立パーツを使用して組み立てられたものである。
【００２６】
図２（ａ）〜（ｃ）に示す基本組立ブロックは、孔付き基本要素としての孔付き基本板ブロック１２，１３，１４であり、２つの孔、３つの孔、４つの孔が所定の間隔で形成され、孔の数に応じた長さを有する瓢箪形の細長い板状に形成されている。図２（ａ）〜（ｃ）において、２つの孔付き基本板ブロック１２、３つの孔付き基本板ブロック１３、４つの孔付き基本板ブロック１４は、それぞれを上から見た平面図と、横から見た側面図がそれぞれ示されている。
【００２７】
なお、図２では、孔が２，３，４の場合の孔付き基本板ブロックを示しているが、本実施形態はこれに限定されるものでなく、更に多くの孔のある孔付き基本板ブロックを使用してもよいものであり、また形状も図示のように瓢箪やそら豆などのような形状に限られるものでなく、細長い板状であれば任意の形状でも良いものであるが、このような瓢箪状の形にすることにより、孔付き基本板ブロックの軽量化を図ることができるものである。
【００２８】
図３（ａ）に示す基本組立ブロックは、角度変更要素としての角度が９０度に設定された直交取付用ブロック２１であり、この直交取付用ブロック２１は例えば２本の直交した棒などを直交して連結するために使用するものであり、第１の方向にあけられた第１の孔と該第１の方向に直交する第２の方向にあけられた第２の孔とが隣接して形成され、第１の孔を貫通して取り付けられる部材と第２の孔を貫通して取り付けられる部材とを直交するように取り付けるものである。
【００２９】
図３（ｂ）に示す基本組立ブロックは、連結ピン２３であり、複数の孔付き基本板ブロック１２〜１４を組み合わせて合わせられた孔同士を貫通して複数の孔付き基本板ブロックを連結するために使用されるものである。同図に示す連結ピン２３は、ピン部分の長さが比較的短いが、本発明はこれに限定されるものでなく、更に長いピン部分を有していてもよいものである。
【００３０】
図３（ｃ）に示す基本組立ブロックは、棒状のロッド２５であり、複数の孔付き基本板ブロック１２〜１４の孔同士を貫通して該複数の孔付き基本板ブロックを離隔または隣接して連結したり、または孔付き基本板ブロック１２〜１４の孔と直交取付用ブロック２１の孔を貫通して両者を離隔または隣接して連結したり、または複数の直交取付用ブロック２１の孔同士を貫通して該複数の直交取付用ブロック２１を離隔または隣接して連結するなどのための種々の長さを有する棒状部材である。
【００３１】
図４に示す車両用付加組立パーツのうち、図４（ａ）は、一輪車、二輪車、三輪車、四輪車などの車両に使用されるタイヤ３１を示し、図４（ｂ）は、一輪車、二輪車、三輪車などに使用されるサドル３３を示し、図４（ｃ）は、同様に一輪車、二輪車、三輪車などに使用されるペダル３５を示している。
【００３２】
上述したように図２〜図４に示す孔付き基本板ブロック１２〜１４、直交取付用ブロック２１、連結ピン２３、ロッド２５、タイヤ３１、サドル３３、ペダル３５を使用することにより、図１に示すような二輪車を組み立てることができる。
【００３３】
すなわち、図１に示す二輪車では、ロッド２５で横に延出したハンドルを構成し、このハンドルを構成するロッド２５のほぼ中央に２つの孔付き基本板ブロック１２を２本取り付け、この２本の孔付き基本板ブロック１２に対して直交取付用ブロック２１を連結ピン２３で取り付けて固定し、更に孔付き基本板ブロック１２に対して直交取付用ブロック２１を介してほぼ垂直方向に延出するロッド２５を取り付けてハンドル軸を構成している。また、このハンドル軸を構成するロッド２５の下端に３つの孔付き基本板ブロック１３を取り付け、この孔付き基本板ブロック１３の両端の孔にそれぞれ２本のロッド２５を取り付け、この２本のロッド２５の下端にタイヤ３１を連結ピン２３で取り付けている。
【００３４】
また、ハンドル軸を構成するロッド２５の下端に取り付けられた直交取付用ブロック２１の両側に４つの孔付き基本板ブロック１４を２本取り付けて上フレームを構成し、この上フレームを構成する４つの孔付き基本板ブロック１４の端部を直交取付用ブロック２１で連結し、更にこの直交取付用ブロック２１にロッド２５の下端部を取り付け、このロッド２５の上端部にサドル３３を取り付けている。
【００３５】
更に、上フレームを構成する４つの孔付き基本板ブロック１４に対して下方に斜めに延出するように３つの孔付き基本板ブロック１３を２本取り付け、その下端部に２本のロッド２５を取り付け、２本のロッド２５の下端部にペダル３５を取り付けている。
【００３６】
また、上フレームの孔付き基本板ブロック１４から下方に斜めに延出している孔付き基本板ブロック１３の下端部に後方にほぼ水平に延出する４つの孔付き基本板ブロック１４を２本取り付け、この２本の孔付き基本板ブロック１４の後端部に後輪を構成するタイヤ３１を連結ピン２３で取り付け、このように孔付き基本板ブロック１２〜１４、直交取付用ブロック２１、連結ピン２３、ロッド２５、タイヤ３１、サドル３３、ペダル３５を使用して二輪車を組み立て構成している。
【００３７】
図５は、同様に孔付き基本板ブロック１２〜１４、直交取付用ブロック２１、連結ピン２３、ロッド２５、タイヤ３１、サドル３３、ペダル３５を使用して組み立てられた更に簡単な別の二輪車を示しているものである。
【００３８】
このように構成される二輪車は、図５（ｃ）に示すように、例えば身長が９０ｃｍ程度の子供が乗ることができるものであり、この二輪車を構成する各基本組立ブロックおよび各車両用付加組立パーツは、このように子供または人が乗ることができる実用性を有するものであり、その実用性に使用上十分に耐え得る強度および材質で形成されているものであるとともに、また各基本組立ブロックや孔付き基本板ブロック間の連結および取り付けもその実用性に使用上十分に耐え得るように行われているものである。すなわち、前記孔付き基本板ブロック、連結ピン、直交取付用ブロックまたはロッドを含む基本組立ブロックと前記タイヤ、サドル、ペダルまたはチェーンを含む付加組立パーツは、これらを自在に組み合わせて形成される一輪車、二輪車、三輪車、四輪車を含む種々の構造物において使用上十分に耐え得る強度および材質で形成されているものであり、また孔付き基本板ブロック、連結ピン、直交取付用ブロックまたはロッドを含む基本組立ブロック自体も、これらを自在に組み合わせて形成される椅子、家具、テーブル、台を含む種々の構造物において使用上十分に耐え得る強度および材質で形成されているものである。
【００３９】
図６は、同様に孔付き基本板ブロック１３，１２、連結ピン２３、ロッド２５、タイヤ３１、サドル３３、ペダル３５などを使用して組み立てられた更に簡単な一輪車を示しているものである。この一輪車も同図（ｃ）に示すように例えば身長が１１０ｃｍ程度の子供が乗ることができるものであり、この一輪車を構成する各基本組立ブロックおよび各車両用付加組立パーツも子供または人が乗ることができる実用性を有するものであり、その実用性に使用上十分に耐え得る強度および材質で形成され、また各基本組立ブロックや孔付き基本板ブロック間の連結および取り付けもその実用性に使用上十分に耐え得るように行われているものである。
【００４０】
なお、以上のように基本組立ブロックや付加組立パーツを用いて組み立てられた一輪車や二輪車などは子供の成長などにより不要となったり、飽きたら元に分解して、更に新規な別の構造物、例えば三輪車や更に大きな二輪車として別途組み立て、継続的に使用することができ、新たに喜びを得ることができるものであり、廃棄するというような無駄を省くことができる。
【００４１】
図７は、一輪車、二輪車、三輪車などに使用されるチェーン４１を示しているものである。このようなチェーン４１を用いることにより、図８に示すようなチェーン４１を有する二輪車を構成することができる。
【００４２】
図９は、例えば図１に示すような二輪車をその組立構造が良くわかるように示す斜視図であるが、ハンドル付近の構造が異なっている。同図に斜視図として示すように、上述した孔付き基本板ブロック１２〜１４、直交取付用ブロック２１、連結ピン２３、ロッド２５、タイヤ３１、サドル３３、ペダル３５を使用して組立構成される二輪車などは人が実際に乗ることができ、十分実用性が高く、強度的にも十分な構造、材質で構成されているものである。
【００４３】
図１０は、上述した孔付き基本板ブロック１２〜１４、直交取付用ブロック２１、連結ピン２３、ロッド２５、タイヤ３１、サドル３３、ペダル３５を用いて組立構成されるバッテリ（ＢＡＴＴＥＲＹ）搭載の三輪車タイプのサドルのないスクータを示しているものである。
【００４４】
また、図１１は、上述した孔付き基本板ブロック１２〜１４、直交取付用ブロック２１、連結ピン２３、ロッド２５、タイヤ３１、サドル３３、ペダル３５を用いて組立構成されるバッテリ（ＢＡＴＴＥＲＹ）搭載のサドル付きの二輪車を示しているものである。
【００４５】
更に、図１２は、上述した孔付き基本板ブロック１２〜１４、直交取付用ブロック２１、連結ピン２３、ロッド２５およびその他の特殊部材を用いて組立構成されるバッテリ（ＢＡＴＴＥＲＹ）搭載のスクリュー付きのボートを示しているものである。
【００４６】
図１３は、上述した孔付き基本板ブロック１２〜１４、直交取付用ブロック２１、連結ピン２３、ロッド２５、タイヤ３１、サドル３３、ペダル３５およびその他の特殊部材を用いて組立構成されるバッテリ（ＢＡＴＴＥＲＹ）搭載の人が腹這いになって乗ることができる三輪車を示しているものである。
【００４７】
図１４は、上述した基本組立ブロックや付加組立パーツとともに使用され、連結ピン２３で孔付き基本板ブロックなどに取り付けることができる長方形や正方形などの形状であって、連結ピン２３で取り付けるための取り付け孔の形成された複数のプレート５１および５３を示しているものである。なお、図示のプレート５１，５３は、孔が４隅や４隅と中央に形成されているのみであるが、孔の数や位置はこれに限定されるものでなく、更に多数の孔を多くの位置に形成してもよく、特に多数の孔をプレート５１，５３の全面上に形成するようにしてもよいものである。また、プレート５１，５３の大きさや形状も図示のものに限定されず、任意の大きさや形状のものにしてもよいものである。
【００４８】
図１５は、図１４に示したプレート５１およびプレート５３と上述した孔付き基本板ブロック１２〜１４、直交取付用ブロック２１、連結ピン２３、ロッド２５、タイヤ３１などを用いて組立構成されるバッテリ（ＢＡＴＴＥＲＹ）搭載のサドル付きの四輪車であるゴーカートを示しているものである。
【００４９】
図１６は、図１４に示したプレート５１，５３およびその他の特殊部材を用いて組立構成される図１２に示したボートと同様なバッテリ（ＢＡＴＴＥＲＹ）搭載のスクリュー付きのボートを示しているものである。
【００５０】
図１７および図１８は、上述した孔付き基本板ブロック１２〜１４、直交取付用ブロック２１、連結ピン２３、ロッド２５などを用いて組立構成される背もたれ付き椅子を示しているものである。
【００５１】
図１９は、上述した孔付き基本板ブロック１２〜１４、直交取付用ブロック２１、連結ピン２３、ロッド２５などを用いて組立構成される簡単なジャングルジムのような特殊構造物を示しているものである。
【００５２】
図２０は、上述した孔付き基本板ブロック１２〜１４、直交取付用ブロック２１、連結ピン２３、ロッド２５などを用いて組立構成される簡単なジャングルジムのような図１９に類似した特殊構造物を示しているものである。図２０（ｃ）に示すように、子供などが構造物の隙間に入って遊ぶことができるようになっている。
【００５３】
図２１および図２２は、上述した孔付き基本板ブロック１２〜１４、直交取付用ブロック２１、連結ピン２３、ロッド２５と図１４に示したプレート５１，５３などを用いて組立構成される図１７、図１８と同様な背もたれ付き椅子を示しているものである。両図（ｃ）に示すように、子供や大人が実際に座ることができるようになっている。
【００５４】
図２３は、図２に示した孔付き基本板ブロック１２〜１４を僅かに湾曲させて部分円弧状に形成された孔付き湾曲基本板ブロック６４，６３，６２を示しているものである。これらの孔付き湾曲基本板ブロック６４〜６２は、孔付き基本板ブロック１２〜１４と同様に４つ、３つ、２つの孔が所定の間隔で形成され、孔の数に応じた長さを有する細長い板状に形成されている。
【００５５】
図２４は、図２３に示した孔付き湾曲基本板ブロック６４〜６２を用いて組立構成される木馬風の例えば女児用のやさしい構造物を示しているものである。
【００５６】
図２５は、図２４と同様に図２３に示した孔付き湾曲基本板ブロック６４〜６２を用いて組立構成される例えば女児用のやさしい種々の構造物を示しているものである。
【００５７】
図２６は、図２に示した孔付き基本板ブロックの代わりに肉厚の矩形の棒状に形成され、この棒状体上に２つ以上複数の孔が所定の間隔で形成され、孔の数に応じた長さを有し、更に孔の深さ方向に鋸歯の溝が延出した複数の鋸歯状に内周面が形成されている複数の肉厚矩形棒状の孔付き基本ブロック７２〜７５として、孔が２つのもの、３つのもの、４つのもの、５つのものを示している。
【００５８】
また、図２７は、図２６に示した複数の肉厚矩形棒状の孔付き基本ブロック７２〜７５のそれぞれの孔に対して外周面が鋸歯状であって、両端に固定用のねじ部の形成された長さの異なるロッド８２，８３，８４を挿入して複数の肉厚矩形棒状の孔付き基本ブロック７２〜７５を連結し、この連結したロッド８２，８３，８４の両端を固定ねじ８９で締め付けて固定する様子を示しているものである。なお、複数の肉厚矩形棒状の孔付き基本ブロック７２〜７５を連結するロッド８２，８３，８４は、連結する肉厚矩形棒状の孔付き基本ブロック７２〜７５の数に応じた長さを有し、ロッド８２は２つの肉厚矩形棒状の孔付き基本ブロック７２〜７５を連結し、ロッド８３は３つの肉厚矩形棒状の孔付き基本ブロック７２〜７５を連結し、ロッド８４は４つの肉厚矩形棒状の孔付き基本ブロック７２〜７５を連結し得る長さに形成されている。
【００５９】
図２８は、図２７に示した肉厚矩形棒状の孔付き基本ブロック７２，７３、ロッド８２、固定ねじ８９を詳しく図示しているものである。
【００６０】
図２８（ａ）は、肉厚矩形棒状の孔付き基本ブロック７２，７３に対してロッド８２を挿入して連結し、その両端を固定ねじ８９で締め付けて固定した様子を示している。図２８（ｂ）は、ロッド８２をその長さ方向から見た側面図と正面図を示し、図２８（ｃ）は、固定ねじ８９の側面図と正面図を示し、また図２８（ｄ）は、２つの孔のある肉厚矩形棒状の孔付き基本ブロック７２の一方の孔にロッド８２を挿入し、このロッド８２の端部に固定ねじ８９を取り付けて締め付けた様子を示している。
【００６１】
図２９は、図２６〜図２８に示した肉厚矩形棒状の孔付き基本ブロック７２〜７５、ロッド８２，８３，８４、固定ねじ８９を用いて組立構成されたバイクのような骨太の二輪車を示しているものである。
【００６２】
なお、上記実施形態の組立構造体は、図５（ｃ）、図６（ｃ）、図８（ｃ）、図１３（ａ）、図１５（ｃ）、図２０（ｃ）、図２１（ｃ）、図２２（ｃ）、図２５などに示すように、実際に人が乗ったり、座ったり、使用することができるような実物大の大きさに形成され、その強度などもそれなりに十分なものであるが、このような実物大の大きさのものに対して、試作や試行のためにあるいは見本や展示に際して取り扱い易いように、例えば１／２や１／１０に縮小された小型のものも揃えていてもよいものである。
【００６３】
また、上述した実施形態の組立構造体では、孔の数、長さ、形状などとして所定のものについて一例を挙げて図示し説明を行っているが、本発明は、これに限定されるものでなく、種々の変形が考えられるものである。また、孔付き基本板ブロックなどに形成される孔は本実施形態ではロッドなどが貫通し得るように貫通孔である場合について例示しているが、すべてが貫通孔である必要はなく、必要に応じて孔部分は一方が凹んだ凹部となり、この凹部の反対側の他方が突出した凸部となるような凹凸形状のものであって、この凹凸形状の凹部と凸部を互いに嵌合させて複数の孔付き基本板ブロックを連結させるようなものであってもよいものである。
【００６４】
また、基本板ブロック等の各構成要素の肉厚を薄くし、あるいは中空化や設けるリブの最適化、さらには素材を複合化（複合材料の使用、補強材の使用、素材の複層化、傾斜材料、金属材料の使用）することで、強度を保持しつつ軽量化を適宜行うようにしても構わないものである。
【００６５】
【発明の効果】
以上説明したように、本発明によれば、孔付き基本板ブロック、直交取付用ブロック、ロッド、連結ピンの少なくとも１種類以上を用いて、子供や人の成長に合わせて創造力を養いながら発展的に子供のみならず大人までも自由に楽しく遊びつつ使用でき、実用性も兼ね備えた例えば組立玩具、教育玩具や実用玩具のような任意の構造物を手足を使いながら組み立てることができるとともに、また子供や人の成長や熟練とともに構造物も成長し、完成した構造物は玩具としてだけでなく、実用性も兼ね備えていて、例えば二輪車やテーブル、椅子などとして組み立てられた組立構造物は実生活でも二輪車、テーブル、椅子として実際に使用でき、しかも完成して使用した構造物が人の成長などにより不要となったり、飽きたら元に分解して、更に新規な別の構造物として継続的に使用して組み立てることができ、新たに喜びを得ることができる。
【００６６】
また、本発明によれば、車両用の構成要素であるタイヤ、サドル、ペダルまたはチェーンを車両用付加組立パーツとして有することにより、基本組立ブロックと組み合わせて例えば一輪車、二輪車、三輪車などのような車両も容易に組み立てることができる。
【００６７】
更に、本発明によれば、基本組立ブロックは使用上十分に耐え得る強度および材質で形成されているので、例えば二輪車やテーブル、椅子などとして組み立てられた組立構造物は実生活でも二輪車、テーブル、椅子として実際に使用でき、十分な実用性も兼ね備えていて、単に玩具でなく、実用品としての価値も高いものである。
【００６８】
本発明によれば、基本組立ブロックおよび車両用付加組立パーツは使用上十分に耐え得る強度および材質で形成されているので、例えば一輪車、二輪車、三輪車、四輪車などとして組み立てられた組立構造物は実生活でも実際に使用でき、十分な実用性も兼ね備えていて、単に玩具でなく、実用品としての価値も高いものである。
【００６９】
また、本発明によれば、基本組立ブロックに加えて矩形プレートを付加組立パーツとして有することにより、更にバラエティに富んだ構造物を組み立てることができる。
【００７０】
更に、本発明によれば、孔付き基本板ブロックが僅かに湾曲して形成されているので、例えば木馬のようなものも容易に組み立てることができ、バラエティに富んだ構造物を組み立てることができる。
【００７１】
本発明によれば、孔付き基本板ブロック、ロッド、連結ピンとしてそれぞれ内周面が鋸歯状の孔のある肉厚矩形棒状の孔付き基本ブロック、外周面が鋸歯状のロッド、このロッドの両端で固定するための固定ねじを使用することにより、例えばバイクのような骨太の二輪車をも組み立てることができ、更にバラエティに富んだ構造物を組み立てることができる。
【図面の簡単な説明】
【図１】本発明の一実施形態に係る組立構造体を使用して組み立てられた二輪車を示す側面図および上面図である。
【図２】図１の実施形態の組立構造体の組立てに使用される孔付き基本板ブロックを示す図である。
【図３】図１の実施形態の組立構造体の組立てに使用される直交取付用ブロック、連結ピン、ロッドを示す図である。
【図４】図１の実施形態の組立構造体の組立てに使用されるタイヤ、サドル、ペダルなどの車両用付加組立パーツを示す図である。
【図５】基本板ブロック、直交取付用ブロック、連結ピン、ロッド、タイヤ、サドル、ペダルを使用して組み立てられた更に簡単な別の二輪車を示す図である。
【図６】基本板ブロック、直交取付用ブロック、連結ピン、ロッド、タイヤ、サドル、ペダルを使用して組み立てられた更に簡単な別の一輪車を示す図である。
【図７】一輪車、二輪車、三輪車などに使用されるチェーンを示す図である。
【図８】図７に示したチェーンを用いて構成される二輪車を示す図である。
【図９】図１に示すような二輪車をその組立構造が良くわかるように示す斜視図である。
【図１０】孔付き基本板ブロック、直交取付用ブロック、連結ピン、ロッド、タイヤ、サドル、ペダルを用いて組立構成されるバッテリ（ＢＡＴＴＥＲＹ）搭載の三輪車タイプのサドルのないスクータを示す図である。
【図１１】孔付き基本板ブロック、直交取付用ブロック、連結ピン、ロッド、タイヤ、サドル、ペダルを用いて組立構成されるバッテリ（ＢＡＴＴＥＲＹ）搭載のサドル付きの二輪車を示す図である。
【図１２】孔付き基本板ブロック、直交取付用ブロック、連結ピン、ロッドおよびその他の特殊部材を用いて組立構成されるバッテリ（ＢＡＴＴＥＲＹ）搭載のスクリュー付きのボートを示す図である。
【図１３】孔付き基本板ブロック、直交取付用ブロック、連結ピン、ロッド、タイヤ、サドル、ペダルおよびその他の特殊部材を用いて組立構成されるバッテリ（ＢＡＴＴＥＲＹ）搭載の人が腹這いになって乗ることができる三輪車を示す図である。
【図１４】基本組立ブロックや付加組立パーツとともに使用され、連結ピンで孔付き基本板ブロックなどに取り付けることができる長方形や正方形などの形状であって、連結ピンで取り付けるための取り付け孔の形成された複数のプレートを示す図である。
【図１５】図１４に示したプレートと孔付き基本板ブロック、直交取付用ブロック、連結ピン、ロッド、タイヤなどを用いて組立構成されるバッテリ（ＢＡＴＴＥＲＹ）搭載のサドル付きの四輪車であるゴーカートを示す図である。
【図１６】図１４に示したプレートおよびその他の特殊部材を用いて組立構成される図１２に示したボートと同様なバッテリ（ＢＡＴＴＥＲＹ）搭載のスクリュー付きのボートを示す図である。
【図１７】孔付き基本板ブロック、直交取付用ブロック、連結ピン、ロッドなどを用いて組立構成される背もたれ付き椅子を示す図である。
【図１８】孔付き基本板ブロック、直交取付用ブロック、連結ピン、ロッドなどを用いて組立構成される別の背もたれ付き椅子を示す図である。
【図１９】孔付き基本板ブロック、直交取付用ブロック、連結ピン、ロッドなどを用いて組立構成される簡単なジャングルジムのような特殊構造物を示す図である。
【図２０】孔付き基本板ブロック、直交取付用ブロック、連結ピン、ロッドなどを用いて組立構成される簡単なジャングルジムのような図１９に類似した特殊構造物を示す図である。
【図２１】孔付き基本板ブロック、直交取付用ブロック、連結ピン、ロッドと図１４に示したプレートなどを用いて組立構成される図１７、図１８と同様な背もたれ付き椅子を示す図である。
【図２２】孔付き基本板ブロック、直交取付用ブロック、連結ピン、ロッドと図１４に示したプレートなどを用いて組立構成される図１７、図１８と同様な背もたれ付き椅子の別の例を示す図である。
【図２３】図２に示した孔付き基本板ブロックを僅かに湾曲させて部分円弧状に形成された孔付き湾曲基本板ブロックを示す図である。
【図２４】図２３に示した孔付き湾曲基本板ブロックを用いて組立構成される木馬風の例えば女児用のやさしい構造物を示す図である。
【図２５】図２３に示した孔付き湾曲基本板ブロックを用いて組立構成される例えば女児用のやさしい種々の構造物を示す図である。
【図２６】図２に示した孔付き基本板ブロックの代わりに肉厚の矩形の棒状に形成され、この棒状体上に２つ以上複数の孔が所定の間隔で形成された複数の肉厚矩形棒状の孔付き基本ブロックを示す図である。
【図２７】図２６に示した複数の肉厚矩形棒状の孔付き基本ブロックの孔にロッドを挿入して複数の肉厚矩形棒状の孔付き基本ブロックを連結し、両端を固定ねじで締め付けて固定する様子を示す図である。
【図２８】図２７に示した肉厚矩形棒状の孔付き基本ブロック、ロッド、固定ねじを詳しく示す図である。
【図２９】図２６〜図２８に示した肉厚矩形棒状の孔付き基本ブロック、ロッド、固定ねじを用いて組立構成されたバイクのような骨太の二輪車を示す図である。
【符号の説明】
１２，１３，１４　孔付き基本板ブロック
２１　直交取付用ブロック
２３　連結ピン
２５，８２，８３，８４　ロッド
３１　タイヤ
３３　サドル
３５　ペダル
４１　チェーン
５１，５３　プレート
６２，６３，６４　孔付き湾曲基本板ブロック
７２，７３，７４，７５　肉厚矩形棒状の孔付き基本ブロック
８９　固定ねじ
【図１】
2004065401.tif 000003
【図２】
2004065401.tif 000004
【図３】
2004065401.tif 000005
【図４】
2004065401.tif 000006
【図５】
2004065401.tif 000007
【図６】
2004065401.tif 000008
【図７】
2004065401.tif 000009
【図８】
2004065401.tif 000010
【図９】
2004065401.tif 000011
【図１０】
2004065401.tif 000012
【図１１】
2004065401.tif 000013
【図１２】
2004065401.tif 000014
【図１３】
2004065401.tif 000015
【図１４】
2004065401.tif 000016
【図１５】
2004065401.tif 000017
【図１６】
2004065401.tif 000018
【図１７】
2004065401.tif 000019
【図１８】
2004065401.tif 000020
【図１９】
2004065401.tif 000021
【図２０】
2004065401.tif 000022
【図２１】
2004065401.tif 000023
【図２２】
2004065401.tif 000024
【図２３】
2004065401.tif 000025
【図２４】
2004065401.tif 000026
【図２５】
2004065401.tif 000027
【図２６】
2004065401.tif 000028
【図２７】
2004065401.tif 000029
【図２８】
2004065401.tif 000030
【図２９】
2004065401.tif 000031